(57)【要約】  【課題】椅子に電源機能をもたせるにあたり、充電のための特段の操作等を要求することがなく、椅子の不使用時には自ずとチャージが完了していて、使用時には椅子を取り出して電源域から離れた位置で確実に使用できるようにした椅子システムを提供する。  【解決手段】相互にスタッキング可能な椅子Ａに、スタッキング方向の一端側および他端側に位置する電気的な第１接続部４１および第２接続部４２と、これら第１接続部４１および第２接続部４２の間を導通させる導通部４３と、第１接続部４１に関連づけられた蓄電部５とを設けるとともに、椅子Ａ、Ａ同士をスタッキングした際に隣接する一方の椅子Ａの第１接続部４１と他方の椅子Ａの第２接続部４２とが電気的に接続されるように構成して、端部にスタッキングされた椅子Ａの第１接続部４１をＯＡコンセント１０００に接続することにより、各椅子Ａの蓄電部５を充電し得るように構成した。  【選択図】図６
2010115331.tif 000002
【特許請求の範囲】
【請求項１】
複数の家具を移動可能かつ相互にスタッキング可能に構成してなる家具システムにおいて、
前記各家具に、スタッキング方向の一端側および他端側に位置する電気的な第１接続部および第２接続部と、これら第１接続部および第２接続部の間を導通させる導通部と、前記第１、第２接続部の何れか若しくは前記導通部の一部に関連づけられた蓄電部とを設けるとともに、前記家具同士をスタッキングした際に隣接する一方の家具の第１接続部と他方の家具の第２接続部とが電気的に接続されるように構成して、端部にスタッキングされた家具の第１接続部または第２接続部の何れかを外部電源供給部に接続することにより、各家具の蓄電部を充電し得るように構成したことを特徴とする家具システム。
【請求項２】
各家具が電子機器設置部を有し、蓄電部に前記電子機器からの電源コードを着脱する電子機器電源供給部を備える請求項１記載の椅子。
【請求項３】
家具同士を隣接させた際に、一方の家具の第１接続部と他方の家具の第２接続部とが磁気や機械的係合などの係留力によって電気的な接続状態を確立し、係留力以上の外力によって引き離されるように関連づけられている請求項１又は２何れかに記載の家具システム。
【請求項４】
家具が、本体部と、この本体部に付随して使用位置と収納位置との間で姿勢変更可能な可動部とを具備するものにおいて、本体部または可動部の一方に第１接続部を、他方に第２接続部を設けている請求項１〜３何れかに記載の家具システム。
【請求項５】
家具が、本体部と、この本体部に付随して使用位置と収納位置との間で姿勢変更可能な可動部とを具備するものにおいて、本体部の一端側および他端側に第１接続部および第２接続部を設けている請求項１〜３何れかに記載の家具システム。
【請求項６】
家具が、本体部と、この本体部に付随して使用位置と収納位置との間で姿勢変更可能な可動部とを具備するものにおいて、収納位置にある可動部のスタッキング方向の一端側および他端側に第１接続部および第２接続部を設けている請求項１〜３何れかに記載の家具システム。
【請求項７】
請求項４記載の家具システムたる椅子システムを構成すべく、背凭れを本体部とし、座を可動部として、座の前縁下面に第１接続部を設け、背の背面に第２接続部を設け、これら両接続部を導通させる位置に導通部を設けて、これらに電気的に関連づけた状態で座の内部又は下面に薄板状の蓄電部を設けていることを特徴とする椅子。
【請求項８】
請求項４記載の家具システムたる椅子システムを構成すべく、背凭れを本体部とし、座を可動部とし、使用位置で着座者の前方に位置し収納位置で着座者の側方に退避する折り畳み天板を更に備えるとともに、座の前縁下面に第１接続部を設け、背の背面に第２接続部を設け、これら両接続部を導通させる位置に導通部を設けて、これらに電気的に関連づけた状態で前記折り畳み天板の内部又は下面に薄板状の蓄電部を設けていることを特徴とする椅子。
【請求項９】
請求項５記載の家具システムたる椅子システムを構成すべく、前脚と後脚を本体部として備え、前脚に第１接続部を設け、後脚に第２接続部を設け、これら両接続部を導通させる位置に導通部を設けて、これらに電気的に関連づけた状態で座の内部又は下面に薄板状の蓄電部を設けていることを特徴とする椅子。
【請求項１０】
請求項５記載の家具システムたる椅子システムを構成すべく、前脚と後脚を本体部として備え、使用位置で着座者の前方に位置し収納位置で着座者の側方に退避する折り畳み天板を更に備えるとともに、前脚に第１接続部を設け、後脚に第２接続部を設け、これら両接続部を導通させる位置に導通部を設けて、これらに電気的に関連づけた状態で前記折り畳み天板の内部又は下面に薄板状の蓄電部を設けていることを特徴とする椅子。
【請求項１１】
請求項６記載の家具システムたる椅子システムを構成すべく、座および脚を本体部として具備し、使用位置で着座者の前方に位置し収納位置で着座者の側方に退避する折り畳み天板を可動部とし、この折り畳み天板において、収納位置にある折り畳み天板の一端側および他端側にそれぞれ第１接続部および第２接続部を設け、これら両接続部を導通させる位置に導通部を設け、これらに電気的に関連づけた状態で前記折り畳み天板の内部又は下面に薄板状の蓄電部を設けていることを特徴とする椅子。
【請求項１２】
請求項４記載の家具システムたるテーブルシステムを構成すべく、支持体を本体部とし、フラップ天板を可動部として、フラップ天板の一側縁近傍に第１接続部を設け、支持体に第２接続部を設け、これら両接続部を導通させる位置に導通部を設けて、これらに電気的に関連づけた状態でフラップ天板の内部又は下面或いは支持体の内部に薄板状の蓄電部を設けていることを特徴とするテーブル。
【発明の詳細な説明】
【技術分野】
【０００１】
本発明は、パーソナルコンピュータ等の電子機器の使い勝手を向上させる上で有用となる家具システム等に関するものである。
【背景技術】
【０００２】
近時におけるＩＴの進展によって、パーソナルコンピュータ（以下、パソコンと略称する）を用いたワークスタイルが日常的になっており、モバイルでいつでもどこでも仕事ができる環境を容易に手に入れることができるようになっている。
【０００３】
ところで、パソコンには電源コンセントが不可欠である。近時のＰＣは高性能で電池寿命が長くなっているとはいえ、充電のためにＡＣ−ＤＣコンバータに差込プラグのついたＡＣアダプタを持ち運び、移動先でバッテリの放電を避けるために電源コンセントにＡＣアダプタを差し込んで使用する場合が多く、電源コンセントがない場合にはバッテリ消費が進行するため使用に際して大きな制約を受ける。更に、電源域から離れることができないため、ＡＣアダプタを差し込める位置にコンセントがない場所では長時間の使用ができない。移動時にも、ＡＣアダプタを折り畳んでパソコンとともにカバン等に収納する必要があり、出し入れが逐一煩わしく、カバンが嵩張って重くなるため移動時の支障ともなる。携帯型のバッテリ、予備バッテリを利用する場合もあるが、持ち運びや充電の必要がある点において変わりはない。
【０００４】
このような不具合を解消する上で参考になるものとして、特許文献１に示すものが挙げられる。同文献に示される椅子は、椅子本体と、前記椅子本体に取り付けられ該椅子本体の外部から供給された電力を蓄電する蓄電部及び外部電源より電力を取得するとともに前記蓄電部へ電力を供給する給電部を有する電源装置とを具備し、前記給電部が、外部電源に対し一端部を接続可能な接続端子を有するとともに他端部に第一コネクタを有する電源コードを具備するとともに、前記蓄電部に前記第一コネクタと電気的且つ着脱可能に接続される第二コネクタを設けたものである。
【０００５】
このように構成されることで、電源コードとして機能する給電部は椅子本体に対して着脱可能となり、給電部を椅子本体より取り外して椅子本体を使用すれば、使用者や周囲の者の邪魔になることや使用者の位置変更が制限することはなくなるとともに、このような環境で使用する限りにおいて、ＡＣアダプタは不要なものとなる。
【特許文献１】特開２００５−２８７７８４号公報
【発明の開示】
【発明が解決しようとする課題】
【０００６】
しかしながら、同文献は、椅子単位で充電を行うものであるため、パーソナルワークには向いているが、グループワークや不定期の会合等には不向きである。すなわち、近時においては、ミーティングや研修、講習会等においても各自がパソコンを持参して参加するシーンが少なくない。このような場合には、普段は使用しない椅子やテーブル等を収納場所から持ち出して展開し、そこで参加者がパソコンを取り出して使用する環境を整えることになる。このような場合に、ミーティング用の椅子等を逐一同文献のようにセットして充電することは非実用的であり、事前の準備を怠る事態も頻発すると考えられる。また、自席以外にこのようなシーンがある限り、個人個人はやはりＡＣアダプタ等を携帯して常に充電ができる体制を整えておかなければならず、今日のワークスタイルに照らした場合、更に改善の余地がある。
【０００７】
本発明は、このような不具合に鑑みてなされたものであって、パソコン利用時に使用する椅子やテーブル等の家具側に蓄電部機能をもたせるにあたり、充電のための特段の操作等を要求することがなく、家具の不使用時には自ずとチャージが完了していて、使用時には家具を取り出して電源域から離れた位置で確実に使用できるようにした家具システム等を提供することを目的としている。
【課題を解決するための手段】
【０００８】
本発明は、かかる目的を達成するために、次のような手段を講じたものである。
【０００９】
すなわち、本発明の家具システムは、複数の家具を移動可能かつ相互にスタッキング可能に構成してなるものにおいて、前記各家具に、スタッキング方向の一端側および他端側に位置する電気的な第１接続部および第２接続部と、これら第１接続部および第２接続部の間を導通させる導通部と、前記第１、第２接続部の何れか若しくは前記導通部の一部に関連づけられた蓄電部とを設けるとともに、前記家具同士をスタッキングした際に隣接する一方の家具の第１接続部と他方の家具の第２接続部とが電気的に接続されるように構成して、端部にスタッキングされた家具の第１接続部または第２接続部の何れかを外部電源供給部に接続することにより、各家具の蓄電部を充電し得るように構成したことを特徴とする。
【００１０】
このような構成により、端部に位置する家具の第１、第２接続部の何れかをコンセント等の外部電源供給部に差し込んでおきさえすれば、この家具に対して他の家具を順次スタッキングさせるだけで、隣接する家具に備わる第１、第２接続部の一方が連結用電源供給部、他方が電源入力部として機能して、各家具の蓄電部に一斉に充電がなされることになる。このため、スタッキングされた家具を取り出したときには、蓄電部は蓄電された状態にあり、その蓄電部を使って電子機器等を有効に駆動することができ、ワーカーは電源域から開放されて移動先で自由にパソコン等の電源を確保することができる。したがって、ミーティングルームや研修会場に備えられる椅子等の家具に適用して極めて有用なものとなり得る。
【００１１】
電子機器を家具に設置して家具とともに一体的に取り扱うためには、各家具が電子機器設置部を有し、蓄電部に前記電子機器からの電源コードを着脱する電子機器電源供給部を備えていることが望ましい。
【００１２】
取り扱いに便利で安全な断接切替を実現するためには、家具同士を隣接させた際に、一方の家具の第１接続部と他方の家具の第２接続部とが磁気や機械的係合などの係留力によって電気的な接続状態を確立し、係留力以上の外力によって引き離されるように関連づけられていることが望ましい。機械的係合にはラッチや嵌め込みによる結合等が挙げられる。
【００１３】
家具が、本体部と、この本体部に付随して使用位置と収納位置との間で姿勢変更可能な可動部とを具備する場合において、隣接する一方の家具の本体部と他方の家具の可動部とが突き当たり若しくは近接して重合するような第１のスタッキング態様を採用する家具システムを構成する際には、本体部または可動部の一方に第１接続部を、他方に第２接続部を設けていることが望ましい。
【００１４】
家具が、本体部と、この本体部に付随して使用位置と収納位置との間で姿勢変更可能な可動部とを具備する場合において、隣接する家具の本体部同士が突き当たり若しくは近接して重合するような第２のスタッキング態様を採用する家具システムを構成する際には、本体部の一端側および他端側に第１接続部および第２接続部を設けていることが望ましい。
【００１５】
家具が、本体部と、この本体部に付随して使用位置と収納位置との間で姿勢変更可能な可動部とを具備する場合において、隣接する家具の可動部同士が突き当たり若しくは近接して重合するような第３のスタッキング態様を採用する家具システムを構成する際には、収納位置にある可動部のスタッキング方向の一端側および他端側に第１接続部および第２接続部を設けていることが望ましい。
【００１６】
椅子を用いて第１のスタッキング態様を実現する場合には、背凭れを本体部とし、座を可動部として、座の前縁下面に第１接続部を設け、背の背面に第２接続部を設け、これら両接続部を導通させる位置に導通部を設けて、これらに電気的に関連づけた状態で座の内部又は下面に薄板状の蓄電部を設けおくことが効果的である。
【００１７】
椅子を用いて第１のスタッキング態様を実現する場合の他の態様としては、背凭れを本体部とし、座を可動部とし、使用位置で着座者の前方に位置し収納位置で着座者の側方に退避する折り畳み天板を更に備えるとともに、座の前縁下面に第１接続部を設け、背の背面に第２接続部を設け、これら両接続部を導通させる位置に導通部を設けて、これらに電気的に関連づけた状態で前記折り畳み天板の内部又は下面に薄板状の蓄電部を設けているものが挙げられる。
【００１８】
椅子を用いて第２のスタッキング態様を実現する場合には、前脚と後脚を本体部として備え、前脚に第１接続部を設け、後脚に第２接続部を設け、これら両接続部を導通させる位置に導通部を設けて、これらに電気的に関連づけた状態で座の内部又は下面に薄板状の蓄電部を設けていることが好ましい。
【００１９】
椅子を用いて第２のスタッキング態様を実現する場合の他の態様としては、請求項５記載の家具システムたる椅子システムを構成すべく、前脚と後脚を本体部として備え、使用位置で着座者の前方に位置し収納位置で着座者の側方に退避する折り畳み天板を更に備えるとともに、前脚に第１接続部を設け、後脚に第２接続部を設け、これら両接続部を導通させる位置に導通部を設けて、これらに電気的に関連づけた状態で前記折り畳み天板の内部又は下面に薄板状の蓄電部を設けているものが挙げられる。
【００２０】
椅子を用いて第３のスタッキング態様を実現する場合には、座および脚を本体部として具備し、使用位置で着座者の前方に位置し収納位置で着座者の側方に退避する折り畳み天板を可動部とし、この折り畳み天板において、収納位置にある折り畳み天板の一端側および他端側にそれぞれ第１接続部および第２接続部を設け、これら両接続部を導通させる位置に導通部を設け、これらに電気的に関連づけた状態で前記折り畳み天板の内部又は下面に薄板状の蓄電部を設けていることが好ましい。
【００２１】
一方、テーブルを用いて第１のスタッキング態様を実現する場合には、支持体を本体部とし、フラップ天板を可動部として、フラップ天板の一側縁近傍に第１接続部を設け、支持体に第２接続部を設け、これら両接続部を導通させる位置に導通部を設けて、これらに電気的に関連づけた状態でフラップ天板の内部又は下面或いは支持体の内部に薄板状の蓄電部を設けていることが望ましい。
【発明の効果】
【００２２】
本発明は、以上説明した構成であるから、椅子やテーブル等の家具をスタッキングした際に一斉に充電が行われるので、充電のための特段の操作等を要求することがなく、収納という行為によって自ずとチャージを完了することができる。そして、使用時に家具を取り出せば、電源域から離れた位置でも電力を有効に活用することができ、不定期で突発的なミーティングや多人数が社外から集合するような研修会、講習会などにおいて、参加者がパソコンを利用する環境等を有効に構築することが可能となる。また、参加者にとっては、ＡＣアダプタ等を持ち運ぶことが不要になるので、いつでもどこでもパソコンを使用できるユビキタス環境を有効に促進する効果が奏される。
【発明を実施するための最良の形態】
【００２３】
以下、本発明のいくつかの実施形態を、図面を参照して説明する。
＜第１実施形態＞
【００２４】
図１及び図２に示す本実施形態の家具システムは、前脚１１、後脚１２、背支桿１３および背凭れ１４から構成される本体部１に対して、可動部である座２をライジング可能とし、更に座２に関連付けて折り畳み天板３を備えた椅子Ａを用いてなる椅子システムである。この椅子Ａは、座２および折り畳み天板３を折り畳んだ状態で、図３に示すように相互にスタッキング（前後方向に重合）可能に構成されている。
【００２５】
各椅子Ａの前脚１１、後脚１２および背支桿１３は、パイプフレームにより構成されているもので、前脚１１は下端部にキャスタ１１ａを有するとともにその下端部から後上方に立ち上がる形状をなし、後脚１２は下端部にキャスタ１２ａを有するとともにその下端部から前上方に立ち上がる形状をなし、相互に接続部１５において接続されている。この接続部１５からは、更に後上方に向けて背支桿１３が延びており、左右の背支桿１３、１３の間に背凭れ１４が構成されている。図２に示す正面視において、後脚１２は前脚１１よりも外側に位置している。
【００２６】
左右の前脚１１、１１間は、座受フレーム１６によって連結してあり、この座受フレーム１６に軸受部２１を介して座２を回転可能に支持させている。そして、座２を、略水平姿勢をとる図１及び図２の使用位置と、略鉛直姿勢をとる図３の収納位置との間で姿勢変更可能としている。図２において符号２２で示すものは座２を略水平位置に保持するストッパであり、座２を起立姿勢に保持するストッパは各図において省略してある。
【００２７】
さらに、折り畳み天板３は、前脚１１の一部から前上方に延びる起立フレーム３１の先端に天板支持部３２を介して取り付けられているもので、着座者の側方に垂下する図２に想像線で示す収納位置と、着座者の前方に水平に横たわる図１及び図２に実線で示す使用位置との間で姿勢変更可能とされている。前記天板支持部３２は、図１及び図２に示す使用位置から図３に想像線で示す位置に向かって折り畳み天板３を側方に跳ね上げ、その位置から同図中矢印で示すように折り畳み天板３を後方に回転させて収納位置に移行させるまでの動作を支持するものである。
【００２８】
そして、図３に示すように座２及び折り畳み天板３を収納位置に保持した状態で前後方向に椅子Ａ、Ａ同士を近づけた場合に、前方に位置する椅子Ａの後脚１２、１２間に後方に位置する椅子Ａの前脚１１を進入させ、前方に位置する椅子Ａの背凭れ１４の背面１４ａに後方に位置する椅子Ａの座２の前縁下面２ａを突き当て、或いは近接させてスタッキングし得るようにしている。折り畳み天板３、３同士は、図には表れていないが、スタッキングによって重合する部分が干渉しないように、収納位置において垂下する折り畳み天板３の前縁３ａよりも後縁３ｂが外側に位置し、前方に位置する椅子Ａに後方から他の椅子Ａが接近した際に、後方の椅子Ａの折り畳み天板３の前縁３ａが前方に位置する椅子Ａの折り畳み天板３の後縁３ｂの内側に入り込むような構成が挙げられる。或いは、前方に位置する折り畳み天板３が後方からの折り畳み天板３の進入に伴って外側に水平移動するような構成を採用してもよい。
【００２９】
このような構成において、本実施形態は図４および図５（ａ）に示すように、各椅子Ａに、スタッキング方向の一端側および他端側に位置づけて、電気的な第１接続部４１および第２接続部４２を設けるとともに、これら第１接続部４１および第２接続部４２の間を導通部４３によって導通させ、さらに、前記第１接続部４１に蓄電部５を接続している。図４および図５に書き加えた両接続部４１、４２及び蓄電部５は、概念的なものであり、具体的な形状や構成を表しているものではない。
【００３０】
第１接続部４１および第２接続部４２は、凹凸で嵌り合う形状を一部に備えたコネクタから構成されるもので、第１接続部４１は座２の前縁下面２ａにあって座２の使用位置でほぼ下方を接続方向とし、第２接続部４２は背凭れ１４の背面１４ａにあって当該背凭れ１４の後方を接続方向としている。これら両接続部４１，４２の少なくとも一方には磁石が内蔵され、背凭れ１４の後方から他の椅子Ａの収納位置にある座２を近づけた場合に、係留力である磁気的な吸着力によって図６に示すように互いの接続部４１，４２の電気的な接続状態を確立し、吸着力以上の外力によって引き離されるように関連づけられている。このようなマグネットコンセントそれ自体は、電気ポット等に一般的に使われているように公知のものであるため、詳しい説明を省略する。
【００３１】
図４および図５（ａ）に示す導通部４３は、これら両接続部４１，４２を導通させる配線から構成されるもので、この導通部４３を構成する配線は、座２の内部から適宜の経路を経て背支桿１３を通り背凭れ１４の内部まで引き回してある。
【００３２】
蓄電部５は、リチウムポリマー電池等より構成される薄型バッテリタイプのもので、本実施形態では座２のクッション性を損なわないよう、当該座２の下面側に変位させて内蔵若しくは下面に取着してある。この蓄電部５は、図５（ｂ）に模式的に示すように、外部電力を取り込むための充電端子５ａが前記座２の前縁下面２ａに設けた第１接続部４１に接続されているとともに、適宜部位にパソコン等の電子機器類の電源コードを着脱するための電子機器電源供給部（端子）５ｂが設けられている。この実施形態では、第１接続部４１にＡＣ電力が入力され、ＡＣ電力は導通部４３を介して第２接続部４２に供給されるとともに、第１接続部４１から配線等により構成される給電部４４を介して蓄電部５の充電端子５ａに電力が供給されるようにしている。蓄電部５はＤＣ入力であるから、前記給電部４４の一部、前記第１接続部４１の一部、或いは蓄電部５の入口には、ＡＣ−ＤＣ変換と電圧変換を兼ねるＡＣアダプタ部が構成される（図示省略）。
【００３３】
すなわち、このように構成される椅子Ａ，Ａ同士を図６に示すように相互にスタッキングすると、後方に位置する一方の椅子の第１接続部４１と、前方に位置する椅子の第２接続部４２とが電気的に接続され、端部にスタッキングされた１番目の椅子Ａの第１接続部４１を外部電源供給部であるＯＡコンセント１０００に電源ケーブル１００の端子１００ａを介して接続すると、第１の接続部４１が電源入力部、第２の接続部４２が連結用電源供給部として機能して、１番目の椅子Ａの第１接続部４１→導通部４３→第２接続部４２→２番目の椅子Ａの第１接続部４１→導通部４３→第２接続部４２→３番目の椅子Ａの第１接続部４１…という具合に給電ラインが構成され、各椅子Ａにおいてはその給電ラインに蓄電部５が接続されているため、これらの蓄電部５への充電がなされることになる。
【００３４】
したがって、端部に位置する椅子Ａの第１接続部４１をＯＡコンセント１００に差し込んでおきさえすれば、この椅子Ａに対して他の椅子Ａを順次スタッキングさせるだけで、各椅子の蓄電部５に第１接続部４１および第２接続部４２、導通部４３を介して充電を完了することができる。このように、収納という行為によって充電を行うことができるため、特に手間を掛ける必要がなく、充電忘れを飛躍的に低減することができ、不定期あるいは突発的な利用にも有効に対応することができる。そして、スタッキングされた椅子Ａを引き出したときには蓄電部５に確実に充電された状態が得られるため、図７に示すようにその蓄電部５の電子機器電源供給端子５ｂに例えばノート型のパソコンＰＣを接続すれば、確実に電源供給を受けて作動させることができる。しかも、椅子Ａは移動可能であり、その椅子Ａに付帯させた折り畳み天板３上でパソコンＰＣ等を使用すれば、ワーカーは電源域から開放されて移動先で自由にパソコン等の電源を確保することができるようになる。
【００３５】
このため、ワーカーはＡＣアダプタ等を持ち運ばずに電源を確保することができ、移動先でパソコンＰＣの使用環境を整えることができて、移動時にカバンが嵩張ったり重くなったりすることもなく、移動前後の手間も大幅に省くことができ、ミーティング、研修、講習会等など、何時でも何処でも必要数だけ椅子Ａを収納場所から持ち出してパソコンを使えるユビキタスな環境を有効に構築することが可能となる。
【００３６】
また、各椅子Ａが電子機器設置部である折り畳み天板３を有し、蓄電部５に前記パソコンＰＣからの電源ケーブル１００を着脱する電子機器電源供給端子５ｂを備えているので、椅子ＡをパソコンＰＣと一体的に取り扱うことができ、上記の構成を実効あらしめることができる。
【００３７】
さらに、椅子Ａ，Ａ同士を隣接させた際に、一方の椅子Ａの第１接続部４１と他方の椅子Ａの第２接続部４２とが吸着力によって電気的な接続状態を確立し、吸着力以上の外力によって引き離されるように関連づけられるので、椅子Ａのスタッキング操作やスタッキング状態にある椅子Ａの引き出し操作に伴って、電気的な断接が自ずと行えることになり、不慮に椅子Ａ，Ａ同士の間に外力が働いても断線等を引き起こすことを有効に回避して、使い勝手と信頼性を向上させることができる。
【００３８】
さらにまた、本実施形態の椅子Ａは、本体部１と、この本体部１に付随して使用位置と収納位置との間で姿勢変更可能な可動部たる座２とを具備するものであり、座２に第１接続部４１を、本体部１に第２接続部４２を設けているので、隣接する一方の椅子Ａの本体部１と他方の椅子Ａの座２とが突き当たり若しくは近接して重合するような図示のごときスタッキング態様を採用する椅子システムに有効に利用することができる。
＜第２実施形態＞
【００３９】
図８に示す椅子Ａの基本機能は、上記第１実施形態と同様、前脚１１、後脚１２、背支桿１３及び背凭れ１４から構成される本体部１に対して可動部である座２を姿勢変更可能とした椅子Ａである点、座２の側方に折り畳み天板３を備え、折り畳み天板３を折り畳んだ状態で図６と同様に複数の椅子Ａ，Ａを相互にスタッキング可能としている点で、上記実施形態の椅子システムと同様のものである。
【００４０】
また、各椅子Ａに、スタッキング方向の一端側および他端側に位置する電気的な第１接続部４１および第２接続部４２と、これら第１接続部４１および第２接続部４２の間を導通させる導通部４３と、前記第１接続部４１に関連づけた蓄電部１０５とを有している点においても同様であり、第１接続部４１を座２の前縁下面２ａに設け、第２接続部４１を背凭れ１４の背面に設けている点も同様である。
【００４１】
相違点は、この実施形態では蓄電部１０５を、その折り畳み天板３の内部に内蔵もしくは下面側に密着させて構成しているところにある。
【００４２】
蓄電部１０５は、上記と同様に薄型バッテリタイプのもので、電力を取り込むための配線等により構成される給電部１４４が介して座２の前縁下面に設けた第１接続部４１に接続されている。折り畳み天板３は可動であるため、その給電部４４は、起立フレーム３１に沿って折り畳み天板３の挙動を妨げないように引き回されている。
【００４３】
このように構成しても、上記実施形態と全く同様のスタッキング充電に関する作用効果を得ることができる。
＜第３実施形態＞
【００４４】
図９〜図１１に示す椅子Ａの基本機能は、上記第１実施形態と同様、前脚１１、後脚１２、背支桿１３および背凭れ１４から構成される本体部１に対して、座３を姿勢変更可能とした椅子であって、座２の側方に折り畳み天板３を備え、天板３を折り畳んだ状態で複数の椅子Ａ、Ａを相互にスタッキング可能とした椅子システムを構成するものである。
【００４５】
そして、各椅子Ａに、スタッキング方向の一端側および他端側に位置する電気的な第１接続部１４１および第２接続部１４２と、これら第１接続部１４１および第２接続部１４２の間を導通させる導通部１４３と、前記第１接続部１４１に電力供給部１４４を介して関連づけられた蓄電部１０５とを設けている点においても同様である。他だし、この実施形態では、可動部である折り畳み天板３のスタッキング方向の一端側および他端側（より具体的には中間部）に前記第１接続部１４１および第２接続部１４２を設けている。
【００４６】
第１接続部１４１は、折り畳み位置にある天板３の前縁３ａ側の上部に設けられ、第２接続部１４２は、折り畳み位置にある天板３の上縁３ｃ側の内面に突出させて設けられ、ともに同じ高さ位置にある。すなわち、図１１に示すように、前方に位置する椅子Ａに後方から別の椅子Ａを近づけると、天板３の前縁３ａが前方に位置する椅子Ａに付帯する天板３の後縁３ｂ側の内面に進入し、ある程度重合した位置で、第１接続部１４１が前方に位置する椅子Ａに付帯する天板３の第２接続部１４２に接続される構造になっている。蓄電部１０５には、適宜位置に充電端子と電子機器電源供給端子を備えている。
【００４７】
このように構成しても、上記第１実施形態や第２実施形態と全く同様にスタッキング充電に関する作用効果が奏される上に、折り畳み天板３の内部に両接続部１４１，１４２、導通部１４３、電力供給部１４４、蓄電部１０５等を全て組み込むことができるので、回転部分に導通部１４３や電力供給部１４４を引き回さなくて済み、信頼性と耐久性の向上に資するものとなる。
＜第４実施形態＞
【００４８】
図１２に示す椅子は、前脚１１と後脚１２を本体部１として備え、前脚１１に第１接続部２４１を設け、後脚に第２接続部２４２を設け、これら両接続部２４１，２４１を導通させる位置に導通部２４３を設けたもので、これらに電気的に関連づけた状態で、図４等と同様に座１の内部や下面に薄板状の蓄電部５を設け、或いは、図８等と同様に折り畳み天板３の内部や下面に薄板状の蓄電部１０５を設けるようにする。このようにしても、上記実施形態と同様にスタッキング充電に関する作用効果を奏することができる。
＜第５実施形態＞
【００４９】
図１３は、本発明の家具システムたるテーブルシステムの例であり、このテーブルＴは、本体部である支持体３０１に可動部であるフラップ天板３０３がフラップ動作可能に支持されているものである。そして、フラップ天板３０３側に第１接続部３４１を設け、支持体３０１側に第２接続部３４２を設け、これら両接続部３４１，３４２を導通させる位置に導通部３４３を設けて、これらの一部に電気的に関連づけた状態でフラップ天板３０３の内部又は下面或いは支持体３０１の内部に薄板状の蓄電部３０５を設けるようにしている。
【００５０】
このようにしても、テーブルＴを引き出したときには充電が完了しているため、フラップ天板３０３上にパソコンを載せ置き、蓄電部３０５に電源ケーブルを接続すれば、電源域から離れた位置でもパソコン等を使用する環境を無理なく有効に構築することが可能となる。
＜第６実施形態＞
【００５１】
図１４に示す椅子Ｂは、相互に垂直方向に重合させてスタッキングできるように構成されたものであり、このような椅子Ｂにおいても、スタッキング充電を可能にすることができる。図の椅子Ｂは、前脚４１１と後脚４１２が連結部４００を含めて一連の脚フレームｆにより台形状に構成され、この脚フレームｆに背４１４および座４０２を支持させたものであり、特に可動部は有しておらず、前脚４１１，４１１同士、後脚４１２，４１２同士、連結部４００，４００同士を密接ないし近接させて上下方向に重合させ得るように構成されている。
【００５２】
そして、前記連結部４００のスタッキング方向の一端側（下端側）に第１接続部４４１を設け、他端側（上端側）に第２接続部４４２を設け、これら両接続部４４１，４４２を導通させる位置に導通部４４３を設けたもので、これらに電気的に関連づけた状態で、図４等と同様に座４０２の内部や下面などに薄板状の蓄電部を設けておく。このようにしても、一端側の第１接続部４４１に外部電力供給部から電力を供給すれば、上記実施形態と同様にスタッキング充電に関する作用効果を奏することができる。
【００５３】
なお、上記各実施形態における蓄電部は、第２接続部側に関連づけて構成することも、導通部に関連づけて構成することも可能である。
【００５４】
以上、本発明の幾つかの実施形態について説明したが、各部の具体的な構成は、上述した実施形態のみに限定されるものではなく、本発明の趣旨を逸脱しない範囲で種々変形が可能である。
【図面の簡単な説明】
【００５５】
【図１】本発明の第１実施形態に係る椅子の基本構成を示す側面図。
【図２】同正面図。
【図３】同椅子のスタッキング構造を説明するための説明図。
【図４】同実施形態における充電機能を示す正面図。
【図５】同側面図等の他の構成図。
【図６】同作用説明図。
【図７】同充電機能の利用状態を示す図。
【図８】本発明の第２実施形態を示す正面図。
【図９】本発明の第３実施形態を示す正面図。
【図１０】同側面図。
【図１１】同作用説明図。
【図１２】本発明の第４実施形態を示す図。
【図１３】本発明の第５実施形態を示す図。
【図１４】本発明の第６実施形態を示す図。
【符号の説明】
【００５６】
１…本体部
２…可動部（座）
３…可動部（折り畳み天板）
５、１０５，３０５…蓄電部
４１、１４１、２４１…第１接続部
４２、１４２、２４２…第２接続部
４３、１４３、２４３…導通部
３０１…本体部（支持体）
３０３…可動部（フラップ天板）
１０００…外部電力供給部（ＯＡコンセント）
Ａ…家具（椅子）
Ｔ…家具（テーブル）
【図１】
2010115331.tif 000003
【図２】
2010115331.tif 000004
【図３】
2010115331.tif 000005
【図４】
2010115331.tif 000006
【図５】
2010115331.tif 000007
【図６】
2010115331.tif 000008
【図７】
2010115331.tif 000009
【図８】
2010115331.tif 000010
【図９】
2010115331.tif 000011
【図１０】
2010115331.tif 000012
【図１１】
2010115331.tif 000013
【図１２】
2010115331.tif 000014
【図１３】
2010115331.tif 000015
【図１４】
2010115331.tif 000016